(57)【要約】【課題】テーブルとプーリとの磁力を強めることなく、ディスクを確実に保持する。【解決手段】ディスク３が載置されるターンテーブル５と、ターンテーブル５とともにディスク３を挟持するチャッキングプーリ６とを備え、チャッキングプーリ６には、複数の係合突部４６が突設されたプーリ側係合部材４１が設けられ、ターンテーブル５には、ディスク３の回転方向に向かって、係合突部４６のチャッキングプーリ６側に向く面４７上に張り出す係合面３５を有する複数の係合片３１が設けられたテーブル側係合部材２６が設けられている。【選択図】図６
2010225252.tif 000002
【特許請求の範囲】
【請求項１】
ディスクが載置されるターンテーブルと、
上記ターンテーブルとともに上記ディスクを挟持するチャッキングプーリとを備え、
上記チャッキングプーリには、複数の係合突部が突設されたプーリ側係合部材が設けられ、
上記ターンテーブルには、上記ディスクの回転方向に向かって、上記係合突部の上記チャッキングプーリ側に向く面上に張り出す係合面を有する複数の係合片が設けられたテーブル側係合部材が設けられているディスク装着機構。
【請求項２】
上記係合片は、上記ターンテーブルが回転されると、上記係合面が上記係合突部に当接することを特徴とする請求項１記載のディスク装着機構。
【請求項３】
上記係合片は、上記係合面が、上記チャッキングプーリ及び上記ターンテーブルの接離方向に対して傾斜するテーパ面とされ、
上記係合突部は、上記係合面と当接される被係合面が、上記チャッキングプーリ及び上記ターンテーブルの接離方向に対して傾斜するテーパ面とされていることを特徴とする請求項２記載のディスク装着機構。
【請求項４】
上記係合面及び上記当接面は、上記チャッキングプーリ及び上記ターンテーブルの接離方向のいずれの位置においても互いに面接触可能な湾曲面に形成されていることを特徴とする請求項３記載のディスク装着機構。
【請求項５】
上記係合片は、上記ディスクの回転方向と反対側に向かって、上記係合突部の上記チャッキングプーリ側に向く面上に張り出す係止面が形成されていることを特徴とする請求項１記載のディスク装着機構。
【請求項６】
上記チャッキングプーリは、上記ディスクとの間に摩擦トルクをもたせる摩擦部材が設けられていることを特徴とする請求項１記載のディスク装着機構。
【請求項７】
上記チャッキングプーリは、上記プーリ側係合部材が一体形成されていることを特徴とする請求項１記載のディスク装着機構。
【請求項８】
上記ターンテーブルは、上記テーブル側係合部材が一体に形成されていることを特徴とする請求項１記載のディスク装着機構。
【請求項９】
上記ターンテーブルには、上記ディスクとの間に摩擦トルクをもたせる摩擦部材が設けられていないことを特徴とする請求項１記載のディスク装着機構。
【請求項１０】
ディスクが載置されるターンテーブルと、
上記ターンテーブルを回転するディスク回転機構と、
上記ディスク回転機構によって回転される上記ディスクに対して情報信号の記録及び／又は再生を行う光ピックアップ機構と、
上記ディスクを搬送する搬送機構と、
上記ターンテーブルとともに上記ディスクを回転自在に挟持するチャッキングプーリとを備え、
上記チャッキングプーリには、複数の係合突部が突設されたプーリ側係合部材が設けられ、
上記ターンテーブルには、上記ディスクの回転方向に向かって、上記係合突部の上記チャッキングプーリ側に向く面上に張り出す係合面を有する複数の係合片が設けられたテーブル側係合部材が設けられているディスクドライブ装置。
【発明の詳細な説明】
【技術分野】
【０００１】
本発明は、ディスクを回転可能に保持するディスク装着機構、及びこのディスク装着機構を搭載したディスクドライブ装置に関する。
【背景技術】
【０００２】
従来、ＣＤ、ＤＶＤ、ＢＤ等の記録容量の異なる各種光ディスクが提供されている。このような各種光ディスクに対して記録及び／又は再生を行うディスクドライブ装置は、装着された光ディスクに応じた最適な回転数で回転させる必要がある。すなわち、ディスクドライブ装置は、ＣＤ等の比較的記録容量の少ない光ディスクに対して記録又は再生を行う場合にはスピンドルモータを低速回転で駆動させれば足りるが、ＢＤ等の記録容量の高い光ディスクに対して倍速録画を行う場合などではスピンドルモータを高速回転で駆動する必要がある。そして、ディスクドライブ装置は、記録容量の異なる多様な光ディスクに対応するためには、光ディスクを約１０００ｒｐｍ〜約１５０００ｒｐｍの間で回転させる必要がある。また、将来的には、約２００００ｒｐｍまで回転させることも想定されている。
【０００３】
ここで、光ディスクを高速で回転させると、装置本体内の空気と光ディスクとの摩擦が大きくなり、空気抵抗によるディスク回転方向と逆方向へのトルク、風損トルクが増大する。この風損トルクは光ディスクの外周面ほど大きくなるため、光ディスクを回転可能に支持しているターンテーブルに対して光ディスクがスリップし、所定の回転数で回転させることができなくなり、また、記録再生特性に悪影響を及ぼすおそれもある。
【０００４】
また、光ディスクは、一般にターンテーブルとチャッキングプーリとが磁気吸着されることによりターンテーブル上に保持されているが、光ディスクの上側は筐体の外壁で密閉されるのに対して下側は光ピックアップの駆動領域として開放されていることが多い。このため、高速回転時においては、光ディスクの上下面にかかる圧力差が大きくなることにより、光ディスクが大きく振動し、安定した回転が阻害されるおそれがある。また、光ディスクの振動に加え、光ディスクの上側が相対的に負圧となるため、光ディスクが上方に吸引されることにより、チャッキングプーリが外れてしまうおそれもある。また、ターンテーブルとチャッキングプーリとの吸着力が弱いと、高速回転時における光ディスクの振動が増大し、さらにチャッキングプーリが外れやすくなる。また、光ディスクの振動に伴って振動音が発生し、騒音となってしまう。
【０００５】
一方で、ターンテーブルとチャッキングプーリとの磁気吸着力を強めると、光ディスクの排出時にターンテーブルとチャッキングプーリとを引き剥がすために駆動機構に過大な負荷をかけることになるため、磁力を大きくするのにも一定の限界がある。
【先行技術文献】
【特許文献】
【０００６】
【特許文献１】特開２０００−２６８４５９号公報
【発明の概要】
【発明が解決しようとする課題】
【０００７】
そこで、本発明は、ターンテーブルとチャッキングプーリとの磁気吸着力を強めることなく容易にチャッキング解除を行うことができ、ディスクの高速回転時においてのみ着脱力を高めて光ディスクを確実にチャッキングし、安定、静粛にディスクを回転駆動させることができるディスク装着機構、及びこのディスク装着機構を用いたディスクドライブ装置を提供することを目的とする。
【課題を解決するための手段】
【０００８】
上述した課題を解決するために、本発明に係るディスク装着機構は、ディスクが載置されるターンテーブルと、上記ターンテーブルとともに上記ディスクを挟持するチャッキングプーリとを備え、上記チャッキングプーリには、複数の係合突部が突設されたプーリ側係合部材が設けられ、上記ターンテーブルには、上記ディスクの回転方向に向かって、上記係合突部の上記チャッキングプーリ側に向く面上に張り出す係合面を有する複数の係合片が設けられたテーブル側係合部材が設けられている。
【０００９】
また、本発明に係るディスクドライブ装置は、ディスクが載置されるターンテーブルと、上記ターンテーブルを回転するディスク回転機構と、上記ディスク回転機構によって回転される上記ディスクに対して情報信号の記録及び／又は再生を行う光ピックアップ機構と、上記ディスクを搬送する搬送機構と、上記ターンテーブルとともに上記ディスクを回転自在に挟持するチャッキングプーリとを備え、上記チャッキングプーリには、複数の係合突部が突設されたプーリ側係合部材が設けられ、上記ターンテーブルには、上記ディスクの回転方向に向かって、上記係合突部の上記チャッキングプーリ側に向く面上に張り出す係合面を有する複数の係合片が設けられたテーブル側係合部材が設けられている。
【発明の効果】
【００１０】
本発明によれば、ターンテーブルが回転されると、係合片は、係合面が、係合突部上に張り出すため、係合突部を介して、チャッキングプーリに対して、回転に伴って発生するトルクをターンテーブルへ圧着するチャッキング力として作用させることができる。この回転に伴うトルクは、高速回転になるほど大きくなるため、係合片は、ディスクを高速回転させたときにもこの高速回転により発生するトルクに応じて大きくなるチャッキング力を利用して、ディスクを確実に挟持し、光ディスクの振動防止、チャッキングプーリの係合外れを防止することができる。
【図面の簡単な説明】
【００１１】
【図１】本発明が適用されたディスクドライブ装置を示す外観斜視図である。
【図２】本発明が適用されたディスクドライブ装置を示す外観斜視図である。
【図３】ターンテーブル及びチャッキングプーリを示す分解斜視図である。
【図４】光ディスクをチャッキングするターンテーブル及びチャッキングプーリを示す断面図である。
【図５】係合ヨークを示す図であり、（Ａ）は外観斜視図であり、（Ｂ）は側面図である。
【図６】係合片と係合突部とが係合した状態を示す断面図である。
【図７】係合片と係合突部とが係止した状態を示す断面図である。
【図８】係合片と係合突部とが係合した状態を示す断面図である。
【図９】ディスクドライブ装置がディスクを回転駆動した状態と回転を停止した状態の着脱力を示すグラフである。
【発明を実施するための形態】
【００１２】
以下、本発明が適用されたディスクドライブ装置について、図面を参照しながら詳細に説明する。なお、説明は以下の順番で行う。
１．ディスクドライブ装置
２．ターンテーブル
３．チャッキングプーリ
４．ディスクチャッキング動作
【００１３】
＜１．ディスクドライブ装置＞
本発明が適用されたディスクドライブ装置１は、図１及び図２に示すように、略矩形状の装置本体２を備え、光ディスク３が載置されるディスクトレイ４が装置本体２の内外に亘って搬送されるいわゆるトレイタイプのディスクドライブ装置である。また、ディスクドライブ装置１は、液晶テレビ等のモニタに接続されて用いられる据置型のディスク記録再生装置やゲーム機、パソコン等のホスト機器の筐体内部に搭載され、当該ホスト機器によって操作される。
【００１４】
ディスクドライブ装置１は、装置本体２内に、光ディスクが載置されるディスクトレイ４と、装置本体２内に搬送された光ディスク３を回転可能に支持するターンテーブル５と、ターンテーブル５とともに光ディスク３を挟持するチャッキングプーリ６と、チャッキングプーリ６を支持するトップカバー７と、光ディスク３に対して情報信号の書き込み及び／又は読み出しを行う光ピックアップ機構８とが配設されている。
【００１５】
［装置本体］
装置本体２は、ディスクトレイ４を前後方向に亘ってスライド自在に支持するとともに、ディスクトレイ４を装置本体２の内外に亘って搬送するギヤ機構が形成されている。また、装置本体２は、ターンテーブル５やトップカバー７を光ディスク３に対して近接又は離間させる昇降機構が形成されている。さらに、装置本体２は、ギヤ機構や昇降機構の駆動源となる駆動モータや、駆動モータを制御する制御回路等が構成される回路基板が配設されている。
【００１６】
また、装置本体２は、回路基板に実装されたコネクタを介してホスト機器と接続され、ホスト機器側の制御部によってディスクトレイ４の搬送や、ターンテーブルの回転、光ピックアップ機構８の駆動が制御される。
【００１７】
［ディスクトレイ］
装置本体２にスライド自在に支持されるディスクトレイ４は、ＣＤやＤＶＤ、ＢＤ等の光ディスク３を横置きにして収容することができる円形の凹陥部からなるディスク収容部１５と、このディスク収容部１５の中央部からトレイセンタに沿って後方へ延在するように開口された長穴状の開口部１６とが設けられている。ディスク収容部１５は、直径１２ｃｍの光ディスク３が載置される大径部１５ａと、この大径部１５ａの中央部に形成された凹部からなり且つ直径８ｃｍの光ディスク３が載置される小径部１５ｂとを有している。
【００１８】
また、ディスクトレイ４の開口部１６は、ディスク収容部１５の小径部１５ｂの中心部から背面側にかけて開口されていて、大径部１５ａの一部を切り欠いてディスク収容部１５の外側まで延在されている。この開口部１６の大きさ及び形状は、装置本体２内に設けられたターンテーブル５及び光ピックアップ機構８の上部が完全に入り込むことができる大きさ及び形状とされている。開口部１６は、ディスクトレイ４が装置本体２内に引き込まれると、昇降機構によってターンテーブル５及び光ピックアップ機構が下方より上昇される。これにより、ターンテーブル５は、光ディスク３の中心孔３ａにテーブル側係合部材となる係合ヨーク２６を挿通させる。また、光ピックアップ機構８は、光ディスク３の信号記録面に対物レンズが設けられたピックアップベース１３を対峙させる。
【００１９】
また、ディスクトレイ４は、左右両側縁に、前後方向へ平行に延びる左右一対のガイドレール１７，１７が設けられ、各ガイドレール１７が装置本体２の側壁に支持されることにより、装置本体２の前後に亘ってスライド可能とされている。ディスクトレイ４は、ガイドレール１７，１７がシャーシに支持されるとともに、図示しないギア機構に係合することにより、図１に示す装置本体２の外部に排出され光ディスク３の挿排出を行うディスク挿排出位置と、図２に示す装置本体２内に搬送され光ディスク３が回転可能にチャッキングされるチャッキング位置との間を搬送される。
【００２０】
また、ディスクトレイ４は、先端面に蓋体１２が取り付けられている。蓋体１２は、装置本体２がホスト機器の筐体内に組み込まれることにより当該筐体の外面の一部を構成する。したがって、ディスクトレイ４は、チャッキング位置に搬送されると、蓋体１２によってホスト機器筐体を閉塞する。
【００２１】
［光ピックアップ機構］
光ディスク３に対して情報信号の記録又は再生を行う光ピックアップ機構８は、略矩形の筐体からなるピックアップベース１３を備え、このピックアップベース１３に、少なくとも、半導体レーザなどの図示しない光源と、この光源から照射した光ビームを光ディスク３の信号記録面に収束させて照射する対物レンズと、光ディスク３の記録面から反射の戻り光を検出する図示しない光検出器と、対物レンズを光ディスク３のフォーカシング方向及びトラッキング方向に駆動させる駆動系が配設されている。
【００２２】
ピックアップベース１３は、長手方向の両端側にピックアップベース１３の移動をガイドする一対のガイド軸が挿通されている。また、ピックアップベース１３は、ガイド軸に隣接してガイド軸と平行に光ディスク３の径方向に亘って配設されているリードスクリューとラックを介して連結されている。
【００２３】
ガイド軸は、チャッキング位置に搬送された光ディスク３の径方向に亘って平行に設けられ、ピックアップベース１３の両端部に挿通されることにより、ピックアップベース１３の移動をガイドする。
【００２４】
リードスクリューは、ガイド軸と平行に設けられるとともに、ピックアップベース１３の一側縁部に係合されている。このリードスクリューは、一端にリードスクリューを回転駆動する送りモータが取り付けられ、他端において軸受けに回転自在に支持されている。リードスクリューの軸部には、ネジ溝が形成され、このネジ溝にはピックアップベース１３に取り付けられたラックが係合されている。そして、リードスクリューは、送りモータに回転駆動されることにより、ピックアップベース１３を光ディスク３の径方向に亘って移動させることができる。
【００２５】
＜２．ターンテーブル＞
次いで、チャッキング位置に搬送された光ディスク３が載置されるターンテーブル５について説明する。ターンテーブル５は、図３及び図４に示すように、スピンドルモータ２０のスピンドル軸２１に連結され、スピンドルモータ２０が実装された支持板２２が昇降機構によって昇降されることにより、ディスクトレイ４の開口部１６を挿通して光ディスク３を支持するとともに、スピンドル軸２１と一体に回転される。
【００２６】
このターンテーブル５は、スピンドル軸２１に連結される連結部材２３と、光ディスク３の中心孔３ａ周縁が載置されるフランジ部２４と、連結部材２３に嵌合され光ディスク３の中心孔３ａを挿通する突出部２５と、後述するチャッキングプーリ６側に設けられたプーリ側係合部材となる係合リング４１と係合される係合ヨーク２６とを備える。そして、ターンテーブル５は、連結部材２３の外周面に突出部２５が、上下方向に摺動可能に嵌合されるとともにコイルバネ２７によって上方に付勢されている。この突出部２５は、光ディスク３の中心孔３ａに挿通されることにより光ディスク３のセンタリングを行う。
【００２７】
このターンテーブル５は、フランジ部２４に光ディスク３の中心孔３ａ周辺が載置された後、係合ヨーク２６がチャッキングプーリ６のマグネット４３と磁気吸引することにより、チャッキングプーリ６とともに光ディスク３を挟持する。そして、ターンテーブル５は、スピンドルモータ２０が駆動されると、スピンドル軸２１と一体に回転され、光ディスク３を所定の回転数で回転する。このとき、ターンテーブル５は、係合ヨーク２６と係合リング４１とが係合することにより、光ディスク３の高速回転に伴うトルクを利用して、光ディスク３を確実に挟持し、光ディスク３の振動防止、チャッキングプーリ６の係合外れを防止する。
【００２８】
この係合ヨーク２６は、図５に示すように、チャッキングプーリ６のマグネット４３と磁気吸引可能な鉄等の磁性材料を用いて形成された円板状の部材であり、円板状のヨーク本体３０と、ヨーク本体３０の外周面に突設された複数の係合片３１とを備える。ヨーク本体３０には、主面３０ａに突出部２５に取り付けられるための取付孔３２が複数形成されている。また、ヨーク本体３０は、主面３０ａの中央に、チャッキングプーリ６の突部４０ｂが挿通する挿通孔３３が形成されている。
【００２９】
係合片３１は、後述するチャッキングプーリ６に設けられた係合リング４１の係合突部４６と係合することによりチャッキングプーリ６がターンテーブル５から離間することを防止するものである。各係合片３１は、光ディスク３の回転方向となる図５（Ａ）中矢印Ｒ方向に向かって張り出す係合面３５と、反矢印Ｒ方向の端面に形成され係合突部４６に係止される係止面３６が形成されている。また、係合片３１は、ヨーク本体３０の外周面に複数設けられている。また、複数の係合片３１は、ヨーク本体３０の外周面に相対向して設けてもよい。例えば、図５（Ａ）に示すように、係合片３１は、ヨーク本体３０の外周面に等間隔で８個形成される。
【００３０】
係合面３５は、光ディスク３の回転方向となる図５（Ａ）中矢印Ｒ方向に向かって張り出すことにより、チャッキングプーリ６の接離方向に対して傾斜するテーパ面とされている。この係合面３５は、チャッキングプーリ６がターンテーブル５に近接することにより係合リング４１の係合突部４６が各係合片３１間に挿通され、ターンテーブル５が矢印Ｒ方向へ回転されると、図６に示すように、係合突部４６のチャッキングプーリ６側に向く被係合面４７上に張り出し、当該被係合面４７と当接する。したがって、係合片３１は、係合面３５が係合突部４６のチャッキングプーリ６側に向く被係合面４７の面上に当接することにより、ターンテーブル５とチャッキングプーリ６との係合が外れることを防止する。
【００３１】
係止面３６は、係合片３１の係合面３５が設けられた側面と反対側に設けられ、係合面３５の上部より係合ヨーク２６の厚さ方向下向きに漸次傾斜して形成された上面３８からやや矢印Ｒ方向に向かって傾斜する傾斜面である。この係止面３６は、ターンテーブル５の回転数を下げるときや、回転を停止する際に、図７に示すように、ターンテーブル５の減速に伴って係合ヨーク２６に反矢印Ｒ方向へのトルクが発生した場合、係合リング４１の係合突部４６に形成された被係止面４８を係止する。これにより、係合ヨーク２６に反矢印Ｒ方向へのトルクが発生した場合に、係合片３１と係合突部４６とが、チャッキングプーリ６がターンテーブル５より外れる方向へずれてしまうことを防止することができる。
【００３２】
＜３．チャッキングプーリ＞
このターンテーブル５とともに光ディスク３を挟持するチャッキングプーリ６は、図３及び図４に示すように、円板状のプーリ本体４０と、プーリ本体４０のターンテーブル５に対向する面側に取り付けられた係合リング４１と、光ディスク３の上面に密着し光ディスク３との間に摩擦トルクを持たせるフリクションシート４２と、係合ヨーク２６を磁気吸引するマグネット４３とを有する。
【００３３】
プーリ本体４０は、一面側にマグネット４３が配設されるマグネット保持孔４０ａが形成され、他面側に、光ディスク３のチャッキング時に係合ヨーク２６の挿通孔３３に挿通する位置合わせ用の突部４０ｂが形成されている。このプーリ本体４０は、トップカバー７に開口された支持孔１０に嵌合されるとともにプーリカバー１１に閉塞されることにより、回転自在に支持されている。そして、プーリ本体４０は、マグネット保持孔４０ａに保持されたマグネット４３がターンテーブル５の係合ヨーク２６に磁気吸着すると共に、係合リング４１が係合ヨーク２６に係合することによりターンテーブル５と一体化され、ターンテーブル５と一体に回転される。
【００３４】
係合リング４１は、環状のリング部４５と、リング部４５の内周面に突設された複数の係合突部４６とを有する。リング部４５は、プーリ本体４０に取り付けられる複数のネジ孔４５ａが形成されている。
【００３５】
図６及び図７に示すように、係合突部４６は、係合ヨーク２６に突設された係合片３１の係合面３５に係合される被係合面４７と、係合片３１の係止面３６を係止する被係止面４８とが形成されている。また、係合突部４６は、リング部４５の内周面に複数設けられている。また、複数の係合突部４６は、リング部４５の内周面に相対向して設けてもよい。例えば、図３に示すように、係合突部４６は、リング部４５の内周面に等間隔で、係合片３１よりも少なく、係合片３１の半分の４個形成される。
【００３６】
被係合面４７は、プーリ本体４０側に向く面であり、図７中矢印Ｒに向かって漸次厚さを増すようにテーパ面として形成されている。そして、図６に示すように、被係合面４７は、ターンテーブル５が矢印Ｒ方向へ回転されると係合ヨーク２６の係合片３１の係合面３５が面上に張り出し、当接する。
【００３７】
被係止面４８は、被係合面４７が設けられた側面と反対側に設けられ、係合片３１の上面３８をプーリ本体４０側から覆う天面４９の反矢印Ｒ方向の端部から矢印Ｒ方向に向かって傾斜する傾斜面である。そして、被係止面４８は、ターンテーブル５が減速あるいは停止する際に係合ヨーク２６に反矢印Ｒへのトルクが発生した場合に、係合片３１の上面３８が天面４９の下部に進入するとともに、係止面３６が当接する。これにより、被係止面４８は、係止面３６にプーリ本体４０側から覆われるように係止されるため、係合片３１と係合突部４６とが、チャッキングプーリ６がターンテーブル５より外れる方向へずれてしまうことを防止することができる。
【００３８】
＜４．ディスクチャッキング動作＞
これらターンテーブル５及びチャッキングプーリ６は、光ディスク３がディスクトレイ４によりチャッキング位置へ搬送されると、支持板２２及びトップカバー７が昇降され、係合ヨーク２６が光ディスク３の中心孔３ａを挿通し、係合リング４１と近接する。このとき、係合リング４１の係合突部４６は、係合ヨーク２６の各係合片３１の間に挿通し、被係合面４７が係合面３５に当接可能となる。なお、係合突部４６は、係合片３１の上に載置された場合にも、ターンテーブル５の回転に伴ってスライドし、係合片３１の間に挿通する。これにより、ターンテーブル５及びチャッキングプーリ６は、マグネット４３と係合ヨーク２６との磁気吸引力によって光ディスク３を挟持する。
【００３９】
ディスクドライブ装置１は、光ディスク３がローディング位置まで搬送され、ターンテーブル５及びチャッキングプーリ６とによってチャッキングされると、スピンドルモータ２０を駆動することによってターンテーブル５を回転させ、光ディスク３をＣＬＶ（Constant Linear Velocity）、ＣＡＶ（Constant Angular Velocity）又はこれらの組み合わせで回転する。
【００４０】
そして、図６及び図８に示すように、ターンテーブル５が矢印Ｒ方向へ回転されると、係合片３１は、係合面３５が、係合突部４６の被係合面４７上に張り出すように当接するため、係合突部４６を介して、チャッキングプーリ６に対して、回転に伴う矢印Ｒ方向のトルクＴをターンテーブル５へ圧着するチャッキング力Ｃとして作用させることができる。この回転に伴う矢印Ｒ方向のトルクＴは、高速回転になるほど大きくなるため、係合片３１は、光ディスク３を高速回転させたときにもこの高速回転により発生するトルクＴに応じて大きくなるチャッキング力Ｃを利用して、光ディスク３を確実に挟持し、光ディスク３の振動防止、チャッキングプーリ６の係合外れを防止する。
【００４１】
すなわち、係合面３５は、ターンテーブル５が高速回転をするほど、係合突部４６の被係合面４７への圧着力が増大することから、ターンテーブル５とチャッキングプーリ６との光ディスク３のチャッキング力Ｃは増大する。したがって、ディスクドライブ装置１によれば、高速回転に応じて光ディスク３にかかる空気抵抗による風損トルクが増大しても、光ディスク３がターンテーブル５に対してスリップすることを防止できる。
【００４２】
また、ディスクドライブ装置１は、ターンテーブル５とチャッキングプーリ６とによる光ディスク３のチャッキング力は増大するため、風損トルクが増大した場合にも、光ディスク３の振動を防止することができ、また、ディスク外周側に振動が発生した場合にもチャッキングプーリ６がターンテーブル５から外れることもない。
【００４３】
光ディスク３の回転数を下げる場合やターンテーブル５を停止させる場合には、係合ヨーク２６の係合片３１には光ディスク３の回転方向と反対方向の反矢印Ｒ方向へのトルクＴ’が発生する。このとき、係合突部４６は、被係止面４８が係合片３１の係止面３６に係止されるため、チャッキングプーリ６がターンテーブル５より外れる方向へ移動してしまうことを防止する。
【００４４】
また、光ディスク３を排出する際には、ディスクドライブ装置１は、ターンテーブル５の回転が停止した後、スピンドルモータ２０を支持する支持板２２及びチャッキングプーリ６を支持するトップカバー７を昇降機構によって互いに離間させる。これにより、光ディスク３は、ターンテーブル５とチャッキングプーリ６とが離間し、チャッキングが解除される。
【００４５】
このとき、ディスクドライブ装置１は、従来と同様の磁力をもつマグネット４３を用いているため、ターンテーブル５とチャッキングプーリ６とを引き剥がすために過大な動力を必要とせず、スムーズにチャッキング解除を行うことができる。また、係合突部４６は、チャッキングプーリ６が回転自在にトップカバー７に支持されているため、係合片３１と係合されている場合も容易に係合片３１間から離脱することができる。
【００４６】
［フリクションシート］
ここで、チャッキングプーリ６は、光ディスク３の上面との摩擦トルクを持たせるフリクションシート４２が貼着されている。これにより、チャッキングプーリ６は、フリクションシート４２が光ディスク３に押圧されることにより、光ディスク３と一体に回転される。そして、チャッキングプーリ６は、光ディスク３が高速回転されることにより装置本体内の空気との摩擦が大きくなり、空気抵抗による反矢印Ｒ方向へのトルク、風損トルクが発生した場合、この風損トルクによって係合リング４１の係合突部４６が係合片３１に付勢される。
【００４７】
したがって、チャッキングプーリ６は、反矢印Ｒ方向に作用する風損トルクによって係合突部４６の被係合面４７が係合片３１の係合面３５に押し付けられることにより、風損トルクをターンテーブル５へのチャッキング力Ｃとして作用させることができる。そして、チャッキングプーリ６は、光ディスク３が高速回転されるほど風損トルクが増大し、これに応じてチャッキング力Ｃが高まることとなるため、光ディスク３を確実にチャッキングし、マグネット４３の磁力を必要以上に増大させることなく、ターンテーブル５から外れる事態を防止することができる。
【００４８】
また、チャッキングプーリ６は、フリクションシート４２を光ディスク３の上面に当接させているため、光ディスク３の上面側が負圧となり、光ディスク３が上方に吸引された場合にも、フリクションシート４２との摩擦が増大するため、光ディスク３がスリップすることなく、所定の回転数で回転させることができる。
【００４９】
図９に、ディスクドライブ装置１における、光ディスク３の風損トルク［ｍＮｍ］とチャッキングプーリ６をターンテーブル５から引き剥がすために要する着脱力［Ｎ］との関係を示す。同図に示すように、風損トルクが発生していない状態、すなわち、ターンテーブル５が回転されていない状態では、チャッキングプーリ６の着脱力は５［Ｎ］弱である。一方、ターンテーブル５を回転させ風損トルクが１０［ｍＮｍ］発生した状態では、チャッキングプーリ６の着脱力は１１［Ｎ］まで上昇する。これより、ディスクドライブ装置１は、風損トルクをチャッキング力として作用させることにより、チャッキングプーリ６の着脱力が２倍以上に増加し、確実に光ディスク３をチャッキングすることができることが分かる。
【００５０】
さらに、風損トルクが１５［ｍＮｍ］、２０［ｍＮｍ］と増大するにつれて、チャッキングプーリ６の着脱力も増加している。すなわち、ディスクドライブ装置１は、風損トルクを利用してチャッキングプーリ６の着脱力として作用させているため、風損トルクが増加すれば、比例してチャッキングプーリ６の着脱力も増加することが分かる。したがって、ディスクドライブ装置１は、光ディスク３を高速で回転させても、着脱力が不足することがない。なお、風損トルク２０［ｍＮｍ］は、直径１２ｃｍの光ディスクを２１０００ｒｐｍで回転したときに発生する風損トルクに相当する。
【００５１】
［係合面３５及び被係合面４７］
また、係合面３５及び被係合面４７は、いずれもターンテーブル５及びチャッキングプーリ６の接離方向のいずれの位置においても互いに面接触可能な湾曲面に形成されている。すなわち、図５（Ａ）（Ｂ）に示すように、係合面３５は、ヨーク本体３０の主面３０ａから放射状に延びる上辺Ａ−Ａ’から、当該上辺Ａ−Ａ’より反矢印Ｒ方向に向かってヨーク本体３０の周回方向にずれてヨーク本体３０の下面から放射状に延びる下辺Ｂ−Ｂ’に至る湾曲面であり、ヨーク本体３０の厚さ方向いずれの位置においてもヨーク本体３０の中心を通る放射状の線分から構成される。同様に、被係合面４７も、リング部４５の上面から放射状に延びる上辺から、当該上辺より反矢印Ｒ方向に向かってリング部４５の周回方向にずれてリング部４１の下面から放射状に延びる下辺に至る湾曲面であり、リング部４１の厚さ方向のいずれの位置においてもリング部４１の中心を通る放射状の線分から構成される。
【００５２】
このような湾曲面を形成することにより、係合面３５及び被係合面４７は、係合高さにばらつきが生じた場合にも、面接触することができ、ターンテーブル５の高速回転に伴うトルクや光ディスク３の風損トルクを、確実に係合片３１及び係合突部４６に伝えることができる。また、係合片３１や係合突部４６は、トルクが局所的にかかることなく、面全体にかかるため、切断や破損を防止し、耐久性を維持することができる。
【００５３】
すなわち、係合片３１及び係合突部４６は、ターンテーブル５及びチャッキングプーリ６が回転しながら当接されるものであるため、光ディスク３が設計寸法を有し、ターンテーブル５とチャッキングプーリ６とが厚さ方向に設計通りの位置で光ディスク３を挟持した場合には、相互に平坦な面で構成された場合にも面接触することができる。しかし、光ディスク３は、多様なメーカから供給されるものであり、また経年変化や温度や湿度等の環境に影響されて、厚さにばらつきが生じ、これにより光ディスク３を挟持したときのターンテーブル５とチャッキングプーリ６との厚さ方向の位置にばらつきが生じうる。このとき、係合面３５及び被係合面４７は、平坦面に形成されると、高さの違いが当接角度の違いとして現れ、線接触はするものの面接触することができない。そこで、ディスクドライブ装置１では、係合面３５及び被係合面４７を湾曲面として形成することにより、当接高さにばらつきが生じた場合にも、面接触することが可能とされている。
【００５４】
［その他］
なお、ターンテーブル５には、フリクションシート４２等の摩擦部材は設けられていない。したがって、ターンテーブル５は、フランジ部２４に光ディスク３が直接載置され、面接触により支持している。したがって、ターンテーブル５は、光ディスク３の信号記録面側に当接するフリクションシートを貼着した場合には、フリクションシートの弾性によって光ディスク３を安定して支持できず高速回転に伴って振動を誘発するのに対して、フリクションシートを介さず直接支持することで、高速回転時においても光ディスク３の振動を効果的に防止することができる。
【００５５】
また、係合ヨーク２６は、図４及び図５に示すように、係合片３１の外周面３７を、フランジ部２４側に向かって漸次拡径する傾斜面として形成してもよい。これにより、係合ヨーク２６は、光ディスク３の中心孔３ａを挿通する際に、中心孔３ａの内周面を係合片３１の外周面３７によってガイドし、センタリングを図ることができる。
【００５６】
また、係合ヨーク２６は、図５に示すように、係合面３５の上辺Ａ−Ａ’から反矢印Ｒ方向に向かってヨーク本体３０の主面３０ａと面一な平坦面３１ａを形成してもよい。これにより、係合面３５の上辺Ａ−Ａ’から係止面３６の上辺にかけて傾斜面とする場合に比して係合片３１の強度が増し、欠損を防止することができる。
【００５７】
また、係合ヨーク２６の係合面３５及び係合リング４１の被係合面４７は、テーパ面として形成する以外にも、被係合面４７上に係合面３５が張り出す、互いに水平な面として形成することもできる。
【００５８】
また、ターンテーブル５は、係合ヨーク２６を磁性材料で形成する以外にも、別途マグネット４３と吸着する磁性部材を配設するとともに、係合片３１をターンテーブル５と一体形成により設けてもよい。同様に、チャッキングプーリ６は、係合リング４１を取り付ける以外にも、係合突部４６をチャッキングプーリ６と一体形成により設けてもよい。
【００５９】
なお、本発明は、光ディスク３を搬送し、回転駆動するディスクドライブ装置１以外にも、ディスク状記録媒体がカートリッジに収納されたディスクカートリッジに対応したドライブ装置にも適用することができる。
【符号の説明】
【００６０】
１  ディスクドライブ装置、２  装置本体、３  光ディスク、４  ディスクトレイ、５  ターンテーブル、６  チャッキングプーリ、７  トップカバー、８  光ピックアップ機構、２０  スピンドルモータ、２２  支持板、２３  連結部材、２４  フランジ部、２５  突出部、２６  係合ヨーク、３０  ヨーク本体、３１  係合片、３５  係合面、３６  被係止面、３７  外周面、４０  プーリ本体、４１  係合リング、４２  フリクションシート、４３  マグネット、４５  リング部、４６  係合突部、４７  被係合面、４８  係止面
【図１】
2010225252.tif 000003
【図２】
2010225252.tif 000004
【図３】
2010225252.tif 000005
【図４】
2010225252.tif 000006
【図５】
2010225252.tif 000007
【図６】
2010225252.tif 000008
【図７】
2010225252.tif 000009
【図８】
2010225252.tif 000010
【図９】
2010225252.tif 000011